【事件の表示】
　平成　４年特許願第１６８４００号「パチンコ機の変動入賞装置」拒絶査定不服審判事件〔平成　５年１２月１４日出願公開、特開平　５−３２９２４７〕について、次のとおり審決する。
【結　論】
　本件審判の請求は、成り立たない。
【理　由】
１．手続の経緯・本願発明
　本願は、平成４年６月２日の出願であって、平成１２年９月２０日付け（平成１２年１０月３日発送）で拒絶の理由が通知され、平成１３年７月５日付け（平成１３年７月１７日発送）で拒絶査定されたものである。そして、その請求項１に係る発明（以下、「本願発明」という。）は、審判請求に伴って提出された平成１３年９月１７日付けの手続補正書によって補正された明細書及び図面の記載からみて、その特許請求の範囲の請求項１に記載された次のとおりのものである。
　
「　遊技盤の表面に取付ける取付基板と、遊技盤の裏面に取付ける装置本体とからなり、
　前記取付基板は、周縁部分を残してほぼ全面に横長の開口が開設された前飾板と、該前飾板の裏面に前飾板の開口の周縁を囲うように略遊技盤の厚み分突出させた嵌合筒とにより枠状に形成され、
　前記装置本体は、横長の開口を有すると共に前記取付基板と比較して大きな後基板と、該後基板の開口に連続して前面側に突出し前面開口を有する箱状の球受枠と、該球受枠の前面開口に前後方向へ開閉自在に設けられた開閉扉とを有し、さらに後基板の後面に球受枠内に受け入れられた入賞球を外部へ排出する前面が開口した中空箱状の通路枠と、電気的駆動源を設けて構成され、
　前記取付基板と前記装置本体とを遊技盤に対してその前面側と裏面側から別々に取付けて一体化するようにしたことを特徴とするパチンコ機の変動入賞装置。」
　
　
２．引用刊行物記載の発明
　これに対して、原査定の拒絶の理由に引用された、本願の出願日前である平成３年８月２１日に頒布された特開平３−１９１９７１号公報（以下、「引用刊行物」という。）には、図面と共に次の事項が記載されている。
　
（１−１）「第１図はパチンコ機の遊技盤１であり、・・・遊技部３のほぼ中央に変動入賞装置６を設け」（第２ページ左下欄第２０行〜同ページ右下欄４行）
　
（１−２）「第２図から第９図に変動入賞装置６を示す。
　変動入賞装置６は、後壁が閉塞した円筒状の収納枠体１１と、収納枠体１１に回転可能に収納した回転部材１２と、回転部材１２を回転させるための駆動機構１３とからなる。」（第２ページ右下欄第８〜１２行）
　
（１−３）「収納枠体１１は、回転部材１２を内部に収納するための部材で、外周面には収納枠体１１を遊技盤１の裏面に取り付けるためのフランジ状の裏面止着片１４を設け、この裏面止着片１４の前側面には、前面止着部材１５の位置決め部材１６を取り付けるための嵌合受部１７が設けてある。前面止着部材１５は、遊技盤１に開設した収納枠体挿通孔１８に挿通する挿通筒部材１９と、挿通筒部材１９の一端に設けたフランジ状の前面止着片２０と、前面止着片２０から挿通筒部材１９の外周に沿って設けた位置決め部材１６とからなる。」（第２ページ右下欄第１３行〜第３ページ左上欄第３行）
　
（１−４）「回転部材１２は、主回転体２１と副回転部材２２からなる。
　副回転部材２２は、前面側に円盤状の第１基板２３を設け、第１基板２３のほぼ中央に開□部２４を開設し、開口部２４から後方に向かって凹室ケ−ス２５を設けて凹室２６を形成し、凹室２６を上下に二分して、開口部２４からパチンコ機前面に向かって突出するように区画部材２７を設けて第１凹室２６ａと第２凹室２６ｂを形成し、開口部２４を囲むようにして区画部材２７の上下に一対の第１可動翼片２８，２８からなる第１可動部材２９と、一対の第２可動翼片３０，３０からなる第２可動部材３１を夫々設け、第１可動部材２９の先端側には第１鎧部３２を、第２可動部材３１の先端側には第２鎧部３３を突設してある。」（第３ページ左上欄第４〜１８行）
　
（１−５）「第１鎧部３２及び第２鎧部３３の内部には夫々一般入賞口３７，３７と特別入賞口３８を設けてある。」（第３ページ右上欄第３〜５行）
　
（１−６）「区画部材２７の両区画壁２７ａ，２７ｂは凹室２６の奥に向かって下り傾斜していて、傾斜下端に区画部材２７を貫通して、第１凹室２６ａと第２凹室２６ｂを連通するように通過孔３９を開設してあり、通過孔３９には入賞個数検出器４０を取り付けてある。」（第３ページ右上欄第６〜１０行）
　
（１−７）「第１基板２３の裏面側には・・・ソレノイド取付板５２を取り付けるための連結部材５３…を突設してある。・・・連結部材５３には、・・・ソレノイド取付板５２を取り付けてある。」（第３ページ左下欄第２〜１４行）
　
（１−８）「ソレノイド取付板５２は、・・・円盤状の部材で、後側面には第１可動部材２９を騒動するための第１ソレノイド６１，６１と、第２可動部材３１を駆動するための第２ソレノイド６２，６２が取り付けてある。」（第３ページ左下欄第１５〜２０行）
　
（１−９）「常には第１ソレノイド６１のプランジャ６１ａは突出していて、第１基板２３に開設した開口部２４の外周を、第１可動翼片２８，２８と区画部材２７と第１鎧部３２とにより囲んで閉鎖した状態となり、遊技者にとって不利な状態である変動入賞装置６内に打球を受け入れない第１状態となっている。一方、第１ソレノイド６１が励磁すると、プランジャ６１ａが吸引されて第１可動翼片２８，２８が回動して、第１可動翼片２８，２８の先端と第１鎧部３２との間に開口を生成し、遊技者にとって有利な状態である変動入賞装置６内に打球を受け入れやすい第２状態となる。」（第３ページ右下欄第１１行〜第４ページ左上欄第２行）
　
（１−１０）「変動入賞装置６を組み立てるには、・・・収納枠体１１の後壁に主回転体２１の円筒部材５５を挿通させて収納枠体１１内に回転部材１２を収納し、円筒部材５５の後端に回転歯車７５を取り付けるとともに、・・・遊技盤１に開設した収納枠体挿通孔１８の前面側に前面止着部材１５の前面止着片２０をビス等で取付け、嵌合受部１７に位置決め部材１６が嵌合するようにして、収納枠体１１を収納枠体挿通孔１８の裏面側から挿通すればよい。」（第４ページ右上欄第１７行〜同ページ左下欄第１１行）
　
（１−１１）第２図には、変動入賞装置の正面図が記載されている。前面止着片２０の円弧部分の外側に円弧状の線が記載されている。
　
（１−１２）第３図には、変動入賞装置の遊技盤への取付を示す分解斜視図が記載されており、前面止着部材１５の前面止着片２０及び挿通筒部材１９の開口が円形であることが示されている。
　
（１−１３）第４図及び第５図には、区画部材２７と第１鎧部３２及び第２鎧部３３との間に側面開口が形成され、該側面開口に一対の第１可動翼片２８，２８及び一対の第２可動翼片３０，３０が左右方向に開閉自在に設けられることがそれぞれ示されている。
　
（１−１４）第４図及び第８図の記載から、開口部２４は縦長の開口であると認められる。
　
（１−１５）第６図には、第１鎧部３２が、第１基板２３の後面側に延設され、その後端上面が切り欠かれていることが示されている。
　
（１−１６）第９図には、特別入賞検出器７３の直上には、第２鎧部３３の下面が存在しないことが示されている。
　
　上記記載事項（１−４）〜（１−６）、（１−１５）、（１−１６）によると、入賞球は、凹室ケース２５内を通過後、第１鎧部３２又は第２鎧部３３内部の一般入賞口３７，３７又は特別入賞口３８に入り、第１鎧部３２又は第２鎧部３３により第１基板２３の後面側に誘導された後、外部に排出されるものと認められる。
　
　よって、上記記載事項（１−１）乃至（１−１６）及び図面の記載によると、引用刊行物には、
「遊技盤１の前面側に取り付ける前面止着部材１５と、遊技盤１の裏面側から取り付ける変動入賞装置６とからなり、
　前記前面止着部材１５は、遊技盤１に開設した収納枠体挿通孔１８に挿通する挿通筒部材１９と、挿通筒部材１９の一端に設けられた円形開口を有するフランジ状の前面止着片２０と、前面止着片２０から挿通筒部材１９の外周に沿って設けられた位置決め部材１６とからなり、前面止着部材１５からの挿通筒部材１９の突出量は遊技盤１の厚みよりも小さく、
　前記変動入賞装置６は、収納枠体１１と、収納枠体１１に回転可能に収納した回転部材１２と、回転部材１２を回転させるための駆動機構１３とからなり、
　収納枠体１１は、後壁が閉塞した円筒状で、外周面には、遊技盤１の裏面に取り付けるためのフランジ状の裏面止着片１４を有し、
　回転部材１２は、主回転体２１と副回転部材２２とからなり、
　副回転部材２２は、円盤状の第１基板２３のほぼ中央に縦長の開口部２４を開設し、開口部２４から後方に向かって凹室ケース２５を設けて凹室２６を形成し、凹室２６を上下に二分して開口部２４からパチンコ機前面に向かって突出するように区画部材２７を設けて第１凹室２６ａと第２凹室２６ｂを形成し、開口部２４を囲むようにして区画部材２７の上下に左右方向に開閉する一対の第１可動翼片２８，２８からなる第１可動部材２９と、一対の第２可動翼片３０，３０からなる第２可動部材３１をそれぞれ設け、第１可動部材２９の先端側には第１鎧部３２を、第２可動部材３１の先端側には第２鎧部３３を突設して区画部材２７と第１鎧部３２及び第２鎧部３３との間に側面開口を設けてあり、第１鎧部３２及び第２鎧部３３は第１基板２３の後面側に延設されると共に内部にはそれぞれ一般入賞口３７，３７と特別入賞口３８を設けてあり、区画部材２７の両区画壁２７ａ，２７ｂは凹室２６の奥に向かって下り傾斜していて、傾斜下端に開設した通過孔３９には入賞個数検出器４０を取り付けてあり、変動入賞装置６内に入賞した入賞球は凹室２６内を流下して一般入賞口３７，３７又は特別入賞口３８に入賞して第１基板２３の後面に誘導されて外部に排出されるように構成され、
　第１基板２３の裏面側に突設された連結部材５３…に取り付けられるソレノイド取付板５２の後側面には、第１可動部材２９を駆動するための第１ソレノイド６１，６１と、第２可動部材３１を駆動するための第２ソレノイド６２，６２が取り付けられ、
　遊技盤１に開設した収納枠体挿通孔１８の前面側に前面止着部材１５を取り付け、嵌合受部１７に位置決め部材１６が嵌合するようにして収納枠体１１を収納枠体挿通孔１８の裏面側から挿通して収納枠体１１を遊技盤１の裏面側に取り付けるようにしたパチンコ機の変動入賞装置６及び前面止着部材１５。」
の発明（以下、「引用発明」という。）が記載されていると認められる。
　
　
３．対比
　本願発明と引用発明を対比すると、引用発明における「遊技盤１」、「遊技盤１の前面側に取り付ける前面止着部材１５」、「遊技盤１の裏面側から取り付ける変動入賞装置６」、「挿通筒部材１９」、「開口を有するフランジ状の前面止着片２０」、「フランジ状の裏面止着片１４」、「第１鎧部３２及び第２鎧部３３」、「第１ソレノイド６１，６１及び第２ソレノイド６２，６２」が、本願発明における「遊技盤」、「遊技盤の表面に取付ける取付基板」、「遊技盤の裏面に取付ける装置本体」、「嵌合筒」、「周縁部分を残してほぼ全面に開口が開設された前飾板」、「開口を有する後基板」、「通路枠」、「電気的駆動源」にそれぞれ対応する。
　本願発明における「変動入賞装置」は、遊技盤の表面に取り付けられる「取付基板」及び遊技盤の裏面に取り付けられる「装置本体」により構成されるものである。引用発明は、遊技盤１の表面に取り付けられる「前面止着部材１５」及び裏面に取り付けられる「変動入賞装置６」により構成されるものであるから、引用発明における「変動入賞装置６及び前面止着部材１５」が本願発明における「変動入賞装置」に対応する。
　本願発明における球受枠は、入賞球を受け入れて通路枠に導くものであるから、その機能を勘案すると、引用発明における「開口部２４を有する第１基板２３、凹室ケース２５及び区画部材２７」が本願発明における「前面開口を有する箱状の球受枠」に対応する。
　引用発明における「第１可動翼片２８，２８及び第２可動翼片３０，３０」と本願発明における「開閉扉」とは、遊技球を受け入れない状態と受け入れやすい状態とに切り換える可動部材である点で共通している。
　引用発明において、前面止着部材１５の位置決め部材１６が変動入賞装置６を構成する収納枠体１１の嵌合受部１７に嵌合することから、前面止着部材１５と変動入賞装置６とは一体化するように取り付けられるものである。
　よって、次の一致点において両者の構成は一致し、次の各相違点において両者の構成は相違する。
　
　一致点：遊技盤の表面に取付ける取付基板と、遊技盤の裏面に取付ける装置本体とからなり、
　前記取付基板は、周縁部分を残してほぼ全面に開口が開設された前飾板と、該前飾板の裏面に前飾板の開口の周縁を囲うように突出させた嵌合筒とにより枠状に形成され、
　前記装置本体は、開口を有する後基板と、前面開口を有する箱状の球受枠と、遊技球を受け入れない状態と受け入れやすい状態とに切り換える可動部材とを有し、さらに球受枠内に受け入れられた入賞球を外部へ排出する中空箱状の通路枠と、電気的駆動源を設けて構成され、
　前記取付基板と前記装置本体とを遊技盤に対してその前面側と裏面側から別々に取付けて一体化するようにしたパチンコ機の変動入賞装置である点。
　
　相違点１：前飾板に開設された開口が、本願発明においては横長の開口であるのに対し、引用発明においては円形の開口である点。
　
　相違点２：嵌合筒の突出量が、本願発明においては略遊技盤の厚み分であるのに対し、引用発明においては遊技盤の厚みよりも小さい点。
　
　相違点３：装置本体を構成する各要素の相互関係に関して、本願発明においては、後基板の横長の開口に連続して球受枠が前面側に突出し、可動部材が球受枠の前面開口を前後方向へ開閉自在な開閉扉であり、後基板の後面に前面が開口した通路枠と、電気的駆動源を設けているのに対し、引用発明においては、可動部材が左右方向に開閉自在な第１可動翼片２８，２８及び第２可動翼片３０，３０であり、後基板の円形開口の内側に、球受け枠、通路枠及び電気的駆動源を後基板に対して回転可能に設けている点。
　
　相違点４：後基板の大きさに関して、本願発明においては、後基板が取付基板と比較して大きいのに対し、引用発明においては、後基板と取付基板の大小関係が明確ではない点。
　
　
４．当審の判断
（１）相違点１について
　前飾板の開口の形状は、装飾効果や装置本体の露出させる部分の形状に合わせて決めればよいことは当業者には明らかであって、前飾板の開口をどのような形状にするかは設計的事項であり、本願発明のように横長の開口とすることで格別な効果があるとは認められないので、前飾板の開口形状の相違は、単に設計的事項の相違にすぎない。
　
（２）相違点２について
　嵌合筒の突出量は、例えば、小さい突出量の場合ははずれ易くなる等、取付基板を装着する際の安定度等を考慮して決めればよいことは当業者には明らかであって、嵌合筒をどの程度突出させるかは設計的事項であり、本願発明のように略遊技盤の厚み分とすることで格別な効果があるとは認められないので、嵌合筒の突出量の相違は、単に設計的事項の相違にすぎない。
　
（３）相違点３について
　パチンコ機の変動入賞装置において、後面に球受枠が形成された取付基板の横長の開口に前後方向に開閉自在に開閉扉を設けたもの（以下、「アタッカー型の変動入賞装置」という。）は、本願出願前において周知である（特開平３−１７８６７９号公報、実願昭５８−１９０３３４号（実開昭６０−９７１７９号）のマイクロフィルム）。
　アタッカー型の変動入賞装置を、引用発明のように取付基板と装置本体とに分割して遊技盤の前後から取り付けるようにすることを阻害する要件があるとは認められず、引用発明の装置本体に代えてアタッカー型の変動入賞装置を採用し、その際、装置本体を遊技盤裏面から取り付けられるようにするために、基板から球受枠を前面側に突出させ、基板裏面に通路枠及び電気的駆動源を設けて相違点３における本願発明の構成を得ることは、当業者にとって格別な困難性を要することとは認められない。
　
（４）相違点４について
　引用刊行物の第２図及び第３図の記載を併せて考慮すると、引用刊行物の第２図に記載された前面止着片２０の円弧部分の外側に位置する円弧状の線は、収納枠体１１及び裏面止着片１４を表していると解釈するのが適当であり、引用刊行物の第２図の記載は、後基板（裏面止着片１４）が取付基板の前飾板（前面止着片２０）よりも大きいことを示唆しているといえる。
　また、変動入賞装置と同様に遊技盤の前面を構成する部材である表示装置を、遊技盤の前面に取り付けられる取付基板と遊技盤裏面から取り付けられる駆動部収納ボックス（本願発明の「装置本体」に対応している。）とで構成し、遊技盤前面に露出させる必要のない駆動部収納ボックスの部分を遊技盤の開口外に配置することも、本願出願前において周知であり（特開平２−１０２６８７号公報、特開平２−１３４１７８号公報）、取付基板の大きさは遊技盤開口の大きさによる制限を受けることはあっても、取付基板と駆動部収納ボックスとがお互いの大きさに制限を与えるものではなく、取付基板と駆動部収納ボックスの大きさは、それぞれの用途に応じて設定できることは当業者には明らかである。
　よって、後基板を取付基板よりも大きくすることは、当業者であれば必要に応じて適宜選択し得る設計的事項にすぎない。
　
（５）本願発明の作用効果について
　遊技盤に開設する変動入賞装置取付け用のくり抜き孔が小さくてすみ、これによって変動入賞装置の取付基板の形状を前記くり抜き孔を隠すことができる必要最小限の大きさにすることができると共に、該取付基板の成形を容易かつスピード化することができ、しかも製作コストを大幅に低下させることができるといった、明細書記載の本願発明の作用効果は、引用発明及び上記各周知技術に基づいて当業者が容易に予測できるものである。
　
　よって、本願発明は、引用発明に基づいて当業者が容易に発明をすることができたものである。
　
　
５．むすび
　したがって、本願請求項１に係る発明は、引用刊行物に記載された発明に基づいて当業者が容易に発明をすることができたものであるので、特許法第２９条第２項の規定により特許を受けることができない。
　よって、結論のとおり審決する。